(57)【要約】      （修正有）【課題】家屋の屋根の端部における野路板と破風板や化粧破風板あるいは壁材等の外壁材との隙間からの雨水や粉雪解け水の浸入を阻止する屋根の水切材を提供する。【解決手段】家屋の屋根の野地板などの下葺材の外側面を覆い隠す上部水切部２と、上部水切部２の下方から上部水切部２と略直角方向へ延出した横部水切部５と、横部水切部５から上部水切部２と反対方向に突出した下部水切部４を具備した屋根の水切材である。また、下部水切部４が上部水切部２の延長上に位置すること、下部水切部４が横部水切部５を往復に折り曲げて形成したものであること、上部水切部２と横部水切部５のいずれか又は双方の先端に水返しを形成したこと、上部水切部２の上方を横部水切部５と同方向に所定の角度だけ折り曲げて先端水切部を形成したこと、横部水切部５と先端水切部が略平行である。【選択図】図３
2013087448.tif 000002
【特許請求の範囲】
【請求項１】
家屋の屋根の野地板のなどの下葺材の外側面を覆い隠す上部水切部と、該上部水切部の下方から該上部水切部と略直角方向へ延出した横部水切部と、該横部水切部から前記上部水切部と反対方向に突出した下部水切部を具備したことを特徴とする屋根の水切材。
【請求項２】
前記下部水切部が、前記上部水切部の延長上に位置することを特徴とする請求項１に記載の屋根の水切材。
【請求項３】
前記下部水切部が、前記横部水切部を往復に折り曲げて形成したものであることを特徴とする請求項１又は２に記載の屋根の水切材
【請求項４】
前記上部水切部と前記横部水切部のいずれか又は双方の先端に水返しを形成したことを特徴とする請求項１乃至３のいずれかに記載の屋根の水切材
【請求項５】
前記上部水切部の上方を前記横部水切部と同方向に所定角度だけ折り曲げて先端水切部を形成したことを特徴とする請求項１乃至４のいずれかに記載の屋根の水切材
【請求項６】
前記横部水切部と前記先端水切部が略平行であることを特徴とする請求項５に記載の屋根の水切材
【発明の詳細な説明】
【技術分野】
【０００１】
本発明は、家屋の屋根の端部における野路板と破風板や化粧破風板あるいは壁材等の外壁材との隙間からの雨水や粉雪解け水の浸入を阻止する屋根の水切材に関する。
【背景技術】
【０００２】
切妻屋根の妻側の端部のけらば等においては、図１７乃至図１９に示すように、家屋の屋根の構造体に傾斜して固定されている垂木７上に合板等からなる野地板８が固定され、更にこの野地板８上に敷かれた防水用の下葺材９上に、桟材１０が軒先側から棟方向に等間隔で軒先と平行方向に多数所定間隔をあけて固定され、この桟材１０に屋根葺材１１としての和瓦や洋瓦等が釘１２等によって敷設固定されている。野地板８の外側面においては、野地板８上に垂木などからなる端部材１３が傾斜方向に沿って固定されており、この端部材１３の上面と屋根葺材１１の上面に跨って被せられる水平片１４と該水平片１４と直角に形成されて端部材１３の外側面と野地板８や下葺材９の外側面を塞ぐ垂直片１５とからなる断面が逆Ｌ字型のけらば瓦１６が敷設されている。
【０００３】
更に、野地板８を上方に固定している垂木７の外側面には、その上端面を野地板８に密着している破風板１７が固定されており、更に、この破風板１７の外側面には化粧破風板１８が固定されている。この化粧破風板１８の上端面と野地板８の下面との間に間隙１９を形成し、この隙間１９にコーキング材２０が詰め込まれている。又、破風板１７の下方においては軒天２１の端部が固定されている。
【０００４】
更に又、前記下葺材９の端部９aは端部材１３の内側面から上面を通って反対側の外側面にたれ下がるようにして屋根葺材１１方向から浸入した雨水等の排出を図るようにしている。又、桟材１０の端部と端部材１３の間に形成された空間の下葺材９上には水切材２２が軒先に向かって配置されていて（例えば、特許文献１）、屋根葺材１１の端と端部材１３の内側面の間から侵入した雨水等を軒先から排出するようにしている。
【０００５】
図１９に示す他の従来例の屋根構造が、前記の図１７、図１８に示す屋根構造と異なるところは、野地板８の端部が破風板１７の上方にまで達していなく、その代わりに破風板１７の上方で端部材１３の下方に野地板８に代わって品板２３を野地板８と同じ傾斜角度で棟側から軒先側へと向かって設けたものである。この構造においては、化粧破風板１８の上面と品板２３の下面の隙間１９にあえてコーティング材２０を詰め込む必要はないが、図のように詰め込むこともある。
【０００６】
又、屋根の軒先側においては、例えば特許文献２に示されるように、野地板の軒先側の上面から野地板の先端を回って鼻隠し板の外面の上方に固着している水切板が開示されており、これによって、野地板と鼻隠し板の隙間からの雨水等の浸入を阻止するようにしている。
【０００７】
更に又、片流れ屋根の棟側の端部においては、例えば特許文献３に示されるように、棟側の端部の上方に固定している棟包支持桟にその上端を固定してその棟側の側面と野地板等の屋根下地材の側面を覆って化粧破風に固定することにより、棟包支持桟と屋根下地材や化粧破風の側面端部の隙間からの雨水等の浸入を防止している。
【先行技術文献】
【特許文献】
【０００８】
【特許文献１】特開平１０−２３１５８９号公報
【特許文献２】特開２００４−０６８３０１号公報
【特許文献３】特開２０１０−０７４３０号公報
【発明の概要】
【発明が解決しようとする課題】
【０００９】
前記した図１７、図１９に示す切妻屋根のけらばの防水構造においては、長年の経過によって野地板８の下面と化粧破風板１８の上面との間の隙間１９にコーキング材２０がそれらの接触面で剥離を生じたり、コーティング材２０自身の内部に亀裂が生じるなどによって、雨水や粉雪解け水などが家屋内側に浸入して、破風板１７や軒天材２１にシミを生じさせたり、腐食を生じさせることが生じている。
【００１０】
更に又、野地板８の外側面は破風板１７や化粧破風板１８によって覆われていないので、雨水等が野地板８の外側面から木目や合板の接合面を伝わって奥へと浸入するために、野地板８全体を濡らして、しいては野地板８一枚全体を腐食させる原因ともなっている。又、コーキング材２０を使用するので施工工数が多くなるという問題点がある。
【００１１】
前記した図１９に示す構造においては、野地板８が破風板１７の上方に達していなく、その代わりに品板２３が配置されているので、横からの巻き込み水や雨水等はこの品板１３に沿って流下して軒先へと導かれ、野地板８の端面からの雨水等の浸入は防止することはできるものの、前記と同様に品板２３と化粧破風板１８の隙間１９にコーキング材２０を使用しているので、施工工数が多くなると共にコーキング材２０の端が外部から見えるために、仕上げを丁寧にしなければならないという前記と同様の問題点がある。
【００１２】
更に、特許文献１に示す水切板は、屋根葺材とけらば瓦の間隙から浸入した雨水等を集めて軒先から外へ排出させるものであって、野地板や下葺材の外側面から浸入する雨水等を阻止するものではない。
【００１３】
更に又、特許文献２に示す屋根の軒先側に設ける水切板は、鼻隠し板に固定している鼻隠しカバー本体にその下方を連結しているので、横からの雨風が吹き付けた場合でも屋根下地材と鼻隠し板との間隙からの雨水等の浸入は阻止できるものの、その連結部分からの雨水等の浸入の阻止にはまだ不十分である。
【００１４】
更に又、特許文献３に示す片流れ屋根の棟側の端部における水切材は、棟側の側面と鼻隠し板の表面とが同じ平面上にある場合には適しているが、鼻隠し板の表面が棟側の側面より凹んでいる場合には、隙間が出来て使用できないという問題点がある。
【課題を解決するための手段】
【００１５】
この発明は上記課題を解決するためになされたものであって、その手段とするところは、請求項１においては、家屋の屋根の野地板のなどの下葺材の外側面を覆い隠す上部水切部と、該上部水切部の下方から該上部水切部と略直角方向へ延出した横部水切部と、該横部水切部から前記上部水切部と反対方向に突出した下部水切部を具備した屋根の水切材としたところにある。
【００１６】
請求項２においては、前記下部水切部が、前記上部水切部の延長上に位置することにある。
【００１７】
請求項３においては、前記下部水切部が、前記横部水切部を往復に折り曲げて形成したことにある。
【００１８】
請求項４においては、前記上部水切部と前記横部水切部のいずれか又は双方の先端に水返しを形成したことにある。
【００１９】
請求項５においては、前記上部水切部の上方を前記横部水切部と同方向に所定角度だけ折り曲げて先端水切部を形成したことにある。
【００２０】
請求項６においては、前記横部水切部と前記先端水切部が略平行であることにある。
【発明の効果】
【００２１】
この発明の屋根の水切材によると、上部水切部が野地板や下葺材の外側面と化粧破風板等の壁材の外側面を塞ぐので、これらの外側面から雨水等が浸入しないことは勿論のこと、野地板と壁材との間に形成される隙間をも塞ぐので、この隙間からの浸入も防ぐことができる。加えて、外部からの見栄えも良くなる。更に、横部水切部が、前記隙間の中に挿入されて野地板の裏面に当接し又上部水切部が野地板の外側面に当接させるだけで位置決めが出来るので、施工が簡単になり、作業能率が向上する。更に、この横部水切部には、上部水切部と反対方向に突出した下部水切部が設けられているので、これによって、横或いは下方向からの雨水や粉雪の浸入或いは巻き水の浸入を有効に阻止し、家屋内部の部材の汚れや資材の腐敗を防止できる。更には、野地板の外側面や野地板の下面と壁材の上面との隙間を塞いでいるので外部からの火災時の延焼を防止できる。
【００２２】
前記下部水切部が上部水切部の延長上にある場合には、横部水切部を上部水切部との分かれ目まで深く隙間の奥まで押し込むことができるので、壁材の上面の奥行きが広い場合であっても塞ぐことが出来て漏れの防止効果を高めることが出来る。
【００２３】
前記下部水切部が、前記横部水切部を往復に折り曲げて形成したときには、１枚の金属板材を折り曲げ加工するだけで屋根の水切材を形成できる。また、折り曲げて形成した空間内には、重ね合わせたとき上方の水切材の下部水切部が入るので、長手方向に連続して使用する場合には水漏れなく途切れることなく連続性を保つことが出来、また、運搬時に重ね合せても嵩張らない。
【００２４】
前記上部水切部と前記横部水切部のいずれか又は双方の先端に水返しを形成すれば、その先端を超えて水が浸入しないので、より一層防水効果を高めることが出来る。
【００２５】
前記上部水切部の上方を前記横部水切部と同方向に所定角度だけ折り曲げて先端水切部を形成すれば、この水切材を軒先や片流れ屋根の棟側の端部に用いた場合には、その折り曲げた先端水切部が野路板等の端部上面と密着し易くなるので、防水効果がより一層向上する。
【００２６】
前記横水切部と前記先端水切部が略平行になるまで折り曲げた場合には、軒先における野地板等の外側面及びその上面と下面を挟み込めて隙間が殆どなくなるので、野地板等の外側面からの雨水等の浸入をより効果的に阻止でき、又、火災防止効果を高めることができる利点がある。
【図面の簡単な説明】
【００２７】
【図１】この発明の実施形態の屋根の水切材を取付した切妻屋根のけらば側の要部一部断面斜視説明図。
【図２】図１の要部断面説明図。
【図３】屋根の屋根の水切材の一実施態様の斜視図。
【図４】図３の屋根の水切材に水返しを設けた他の実施態様の斜視図。
【図５】図４の屋根の水切材と下部水切部の位置を変えた他の実施態様の斜視図。
【図６】図５の屋根の水切材を取付した切妻屋根のけらば側の要部断面説明図。
【図７】他の実施形態の屋根の水切材の斜視図。
【図８】図７の屋根の水切材を取付けた軒先の断面説明図。
【図９】他の実施形態の屋根の水切材の斜視図。
【図１０】図９の屋根の水切材を取付けた軒先の断面説明図。
【図１１】他の実施形態の屋根の水切材の斜視図。
【図１２】図１１の屋根の水切材を取付けた軒先の断面説明図。
【図１３】他の実施形態の屋根の水切材の斜視図。
【図１４】図１３の屋根の水切材を取付けた軒先の断面説明図。
【図１５】他の実施形態の屋根の水切材の斜視図。
【図１６】図１５の屋根の水切材を取付けた軒先の断面説明図。
【図１７】従来例の屋根の要部一部断面説明図。
【図１８】図１７の要部拡大断面説明図。
【図１９】他の従来例の屋根の要部断面説明図。
【発明を実施するための形態】
【００２８】
この発明の一実施形態を以下図１乃至図４に基づいて説明する。
この発明の一実施形態の屋根の水切材１は、図３に示すように、防錆性能を有する長尺な矩形の金属板材を長手方向に沿って折り曲げ加工してなるものであって、野地板８等の外側面を覆い隠す幅広な水切面を有する上部水切部２と、この上部水切部２から略直角方向へ延出した横部水切部５と、該横部水切部５から前記上部水切部２と反対方向に突出した下部水切部４を具備したものである。
【００２９】
図４に示すように、必要に応じて前記上部水切部２や横部水切部５の先端に水返し６を設けても良い。また、前記下部水切部４は、図３に示すように、横部水切部５の端の上部水切部２の延長上であっても、図５に示すように、横部水切部５の中央部分であっても良い。上部水切部２と横部水切部５のなす角度αは、略直角に限定されず、適宜変更しても良い。図示のように、水切材１を１枚の金属板材を折り曲げて形成する場合には、下部水切材４はこの金属板材を往復に折り曲げて形成できる。この時に折返した金属板材の間に空間３を形成しておけば、屋根の水切材１の端部同士を上流側を上に載せるようにして重ね合わせた際に、連続性を保たれるので、水の流れがスムーズになり且つ水漏れも防止できる。また、搬送の際には、縦方向に積層しても嵩張ることがない利点がある。更にまた、折り返し角度を変えることで上部水切部２と横部水切部５のなす角度αを適宜変えることができる。
【００３０】
この屋根の水切材１は、例えば、前述した図１７、図１９に示す屋根構造において使用されるもので、その使用状態を図１と図２に基づいて説明する。なお、屋根構造について既に説明してあるので同じ部材には同じ符号を用いてその説明を省略する。
【００３１】
この屋根の水切材１の取付けは、野地板８の端部上方に設けられている端部材１３の外側面及び野地板８の外側面に上部水切部２を当接させると共に横部水切部５の上面を野地板８の下面に当接させることによって位置決めをしてから、上部水切部２を釘などの係止具２４を用いて端部材１３の外側面に固定させるだけの作業でよい。複数の屋根の水切材１を使用する場合には、軒先側から施工して、継ぎ目においては軒先側の屋根の水切材１の棟側端部の上面に棟側の屋根の水切材１の軒先側の端部の下面を重ねて施工することによって、棟側から軒先側へ流下する雨水等が継目から漏水しないようにする。
【００３２】
野地板８の上面に敷設している下葺材９の端部９aが端部材１３の外側面からたれ下がっている部分は上部水切材２の外側面とけらば瓦１６の内側面の間に収納するようにしながら、屋根の水切材１を取付け固定した後にけらば瓦１６を軒先側から順に棟側へと施工してゆく。
【００３３】
化粧破風板１８は屋根の水切材１を取付ける前工程で破風板１７に固定しても、後工程で固定してもよい。いずれの場合においても、野地板８や図１９に示す品板２３の下面と化粧破風板１８との上面の間には少しの隙間１９を形成するようにしておく。この隙間１９にはコーティング材やスポンジなどを詰め込んで一層の防水効果を図ってもよいが、これらを用いなくても下部水切部４の長さが隙間１９の開口よりも長く形成しておくことにより、又、下部水切部４を化粧破風板１８に当接させておくことにより、横方向からの雨水や粉雪解け水が浸入するのを防止できる。又、万一浸入しても横部水切部５が野地板８や品板２３の下面に当接しているので、野地板８や品板２３に雨水等が触れることはない。そして、万一、横部水切部５を伝って雨水等が浸入した場合であっても、水返し６が下方に向けて横部水切部５の先端に設けられていれば、野地板８の奥方向への浸入は阻止できる。
【００３４】
上部水切部２の先端に形成した水返し６は、下方から吹き上げた風に混ざって雨水等が浸入した場合に端部材１３の上方へと伝わらないようにしたものであるが、ここまで雨水等が達するのは極めてまれであるため必ずしも必要ではない。
【００３５】
又、下部水切部４と横部水切部５のなす角度αが直角である場合には、位置決めの時に座りが良くて施工がし易いが、直角でなくても差し障りはないので、とくに限定されるものではない。
【００３６】
尚、この実施形態においては、折り曲げて形成した下部水切部４の空間３は屋根の水切材１を継ぐ時に上流側すなわち棟側の屋根の水切り材１の同じ折れ曲がり部分を挿入して重ねるためである。
【００３７】
上記のように施工したこの屋根の水切材１によると、けらば瓦１６と端部材１３の空間から入った雨水や粉雪解け水は上部水切部２に沿って下落したり軒先側へと流下していく。又、この上部水切部２は野地板８や品板２３の外側面を塞ぎ、又、下部水切部４は化粧破風板１８の外側面に当接しているので、隙間１９の開口をより確実に塞ぐことができる。このとき、横部水切部５の下面と化粧破風板１８の上面の間にコーディング材を介在させておけばより一層の雨水等の浸入を防止できる。又、横部水切部５の先端に水返し６を設ければ横部水切部５の下面を伝わって奥行き方向に雨水が浸入した場合でも、この水返し６によって確実に阻止できる。更に又、年月の経過によって野地板８にあばれが発生しても、横部水切部５を下方へ押し込むだけであるので、防水効果に影響を与えない。更に又、軒先側から棟側へ複数の屋根の水切材１を継いで使用する場合であっても、空間３部分に上流側の折れ曲がり部を入れることができるので、継目からの水漏れを防止できる。
【００３８】
更に、この屋根の水切材１を施工する際に、上部水切部２を端部材１３や野地板８の外側面に当接させると共に横部水切部５の上面を野地板８や品板２３の下面に当接させるだけでよいので、施工の手数が省けると共に、正確な位置合わせが可能となり、外からの見栄えも向上する。
【００３９】
更に又、コーティング材が不要であるので、施工数が減少すると共にコーティング材の詰め忘れなどによる施工のミスが生じ難くなり利点がある。
【００４０】
更に、下部水切部４によって隙間１９の開口を隠すことができるので、外部から見栄えもよくなる。
【００４１】
尚、以上の実施形態においては、破風板１７や化粧破風板１８を用いた家屋について説明したが、これらに加えてパネルなどの壁材を使用する場合であっても、この壁材の上面と野地板の下面の間に隙間１９を設ける場合にも適用できるため、これらを全て含めて壁材と総称した。
【００４２】
図５及び図６示す実施形態が前記の実施形態と異なるところは、下部水切部４が横部水切部５の中央寄りから下方に突出している点である。これにより、野地板８の外側面が化粧破風板１８より外側に突出している場合にも、下部水切部４が粧破風板１８に密着又は接近するので、隙間１９の開口を塞いで雨水等の浸入を阻止出来る。この実施形態の屋根の水切材１の場合も、前記実施態様の場合と同様に切妻屋根の妻側のけばらに好適に使用出来る。
【００４３】
図７及び図８に示す実施形態が前記図５に示す実施形態と異なるところは、上部水切部２の先端部を前記横部水切部５の突出方向と同方向に所定角度だけ折り曲げて先端水切部２１を形成したものである。上部水切部２に対する折り曲げ角度は、野地板８の傾斜角度と略同等であることが好ましい。また、この実施形態では、水返し６は横部水切部５の先端にのみに設けている。図において、２５は桁で、野地板８を載せる垂木は省略してある。
【００４４】
これを、屋根の軒先に使用した場合には、図８に示すように、先端水切部２１を野地板８の軒先側の上面に被せ、上部水切部２を野地板８の先端部を隠すようにして横部水切５を化粧破風板１８の上面で野地板８の下面の間の隙間に挿入し、下部水切部４を破風板１７の化粧破風板１８の外側面に密着若しくは接近させたものである。下葺材９はこの先端水切部２１の上方に載せ、図示していないが屋根葺材はこの下葺材９の上方に載せる。これにより、野地板８の外側面や野地板８の下面と化粧破風板１８の間に形成される隙間が塞がれるので、野地板８や隙間への雨水等の浸入を阻止できるのに加えて、外からの見栄えを良くすることが出来る。更に、下部水切部３により横若しくは下方から吹上げる雨風をも防ぐことが出来る。下部水切部４を化粧破風板１８に当接させればこの効果をより高めることが出来る。万一、横部水切部５の下面を伝って内部に入り込んだ雨水等は水返し６によって奥への侵入を阻止できる。
【００４５】
図９及び図１０に示す実施形態が、図７に示す前記実施形態と異なるところは、下部水切部４を上方水切部２の下方への延長上に設けた点である。これを屋根の軒先に設けた場合には、前記実施形態と異なり、下部水切部４が野地板８の外側面に下に位置することになるが、これによっても見栄えが良くなり、巻き水や横雨風による雨水等の浸入を阻止できる。又、野地板８の外側面から雨水等が浸入するのを阻止できる。横部水切部５の下面と化粧破風板１８の上面の間に隙間が生じた際にはパッキン材又はスポンジを挿入しても良い。
【００４６】
図１１及び図１２に示す実施形態が、図９に示す実施形態と異なるところは、上部水切部２に対する横部水切部５の折り返し角度αを直角より小さくしたものである。この場合には空間３は図示のように上方が広く拡がることとなる。これにより野地板８の傾斜角度が変化した場合でも、横部水切部５を水平方向に維持できる。これは水切部２に対する先端水切部２１の折り曲げ角度の変更によっても同様に対応できる。
【００４７】
図１３及び図１４に示す実施形態が、図１１に示す実施形態と異なるところは、上部水切部２に対する横部水切部５の折り返し角度αが略直角で、且つ、上部水切部２に対する先端水切部２１の折り曲げ角度も略直角であるので、横部水切部５と先端水切部２１が略平行になっている点である。この実施形態の屋根の水切材１を屋根の軒先に使用すれば、図１４に示すように、野地板８の先端部を先端水切部２１と横部水切部５の間に挟むことが出来るので、野地板８に対する防水効果を挙げることが出来る。又、下部水切部４を長く形成すればこの下部水切部４により壁材の上面と野地板８の下面との隙間を塞ぐことが出来る。なお、この実施態様では、先端水切部２１の上面に軒水切材２６を設置して、この上から桟材１０で野地板８に押さえて固定しているために、これによっても雨水等が野地板８に直接当たることを防止できる。
【００４８】
図１５及び図１６に示す実施形態は、片流れ屋根の棟側の端部の使用に適しているもので、野地板８の外側面を先端水切部２１で覆い壁材と野地板８との隙間を上部水切２と横部水切部５とで塞いで、防止するようにしたものである。水返し６が横部水切部５の先端にあるので紛れ込んだ雨水等はこの横部水切部５の上面から排出される。
【００４９】
なお、以上の説明においては、下部水切部４は板材を往復に折り曲げて真ん中に空間３形成した例について述べたが、別途の板材を横部水切部５の下面に固定するようにしても良い。但し、この場合には屋根の水切材１を接続して用いる場合の重なり部分をとり難くなり、又、積み重ねもし難くなる。屋根の水切材１の長さは、特に限定されるものではないが、１．５〜４ｍ位が適当であり、端数は切断して調整する。
【産業上の利用可能性】
【００５０】
この発明の屋根の水切り材は、日本の風土に合った家屋一般に適用することができる。
【符号の説明】
【００５１】
１    屋根の水切材
２    上部水切部
３    空間
４    下部水切部
５    横部水切部
６    水返し
８    野地板
１１  屋根葺材
１３  端部材
１４  水平片
１５  垂直片
１６  けらば瓦
１８  化粧破風板（壁材）
１９  隙間
【図１】
2013087448.tif 000003
【図２】
2013087448.tif 000004
【図３】
2013087448.tif 000005
【図４】
2013087448.tif 000006
【図５】
2013087448.tif 000007
【図６】
2013087448.tif 000008
【図７】
2013087448.tif 000009
【図８】
2013087448.tif 000010
【図９】
2013087448.tif 000011
【図１０】
2013087448.tif 000012
【図１１】
2013087448.tif 000013
【図１２】
2013087448.tif 000014
【図１３】
2013087448.tif 000015
【図１４】
2013087448.tif 000016
【図１５】
2013087448.tif 000017
【図１６】
2013087448.tif 000018
【図１７】
2013087448.tif 000019
【図１８】
2013087448.tif 000020
【図１９】
2013087448.tif 000021